(57)【要約】【目的】  本発明の目的は、ロータリースイッチの外形を小型化することにより、装置を小型化を図ることができる複合操作型入力装置を提供する。【構成】  基板２００に略直交する方向に押下操作可能な操作体３００と、操作体３００の周囲に基板２００と略平行に配置される環状部材であって、４方向に傾動操作可能であると共に、回転操作可能な操作体４００と、操作体３００に対向配置されるスイッチ手段５００Ａと、操作体４００に対向配置される４つのスイッチ手段５００Ｂと、板体６１０が操作体４００の内壁部４２０に取り付けられる取付部材６００と、操作体４００の回転を検出する回転検出手段７００とを備え、回転検出手段７００は、取付部材６００の２つのアーム部６２０に取り付けられ、本体部２１０上の操作体３００の操作部３１０の下側であり且つスイッチ手段５００Ｂの内側の空間に配置される。【選択図】  図２
2008269871.tif 000002
【特許請求の範囲】
【請求項１】
基板に略直交する方向に押下操作可能な第１の操作体と、
この第１の操作体の周囲に前記基板と略平行に配置される環状部材であって、その平行状態から周囲の任意方向に傾動操作可能であると共に、周方向に回転操作可能な第２の操作体と、
前記第１の操作体の押下移動に応じて作動する第１のスイッチ手段と、
前記第２の操作体の傾動に応じて各々作動する複数の第２のスイッチ手段と、
前記第２の操作体の回転を検出する回転検出手段と、を備える複合操作型入力装置において、
外側部が前記第２の操作体に設けられ且つ内側部が前記第１の操作体の押下移動方向側の面に対向する取付部材を更に備え、
前記複数の第２のスイッチ手段が前記基板上の第１の操作体対向領域の周りの領域に配設されており、
前記回転検出手段は、前記取付部材の内側部に取り付けられ、前記基板上の前記第１の操作体の押下移動方向側であり且つ前記複数の第２のスイッチ手段の内側の空間に配置されることを特徴とする複合操作型入力装置。
【請求項２】
請求項１記載の複合操作型入力装置において、
前記第１の操作体は、操作部と、この操作部の押下移動方向側の面の一部に凸設されており且つその外形が当該操作部の外形よりも小さい棒状の操作軸部とを有し、
前記取付部材の内側部は、前記操作部の押下移動方向側の面の残りの部分に対向するようになっていることを特徴とする複合操作型入力装置。
【請求項３】
請求項１記載の複合操作型入力装置において、
前記回転検出手段は、高さ方向の一端部が前記取付部材の内側部に取り付けられ、その中心部に前記操作軸部が通される貫通孔が設けられる回転体と、この回転体の高さ方向の他端部に設けられる接触子と、前記基板上の前記周りの領域に設けられており且つ前記接触子が摺動可能な接点パターンとを有することを特徴とする複合操作型入力装置。
【請求項４】
請求項３記載の複合操作型入力装置において、
前記取付部材は、前記第２の操作体に取り付けられるリング状の板体と、この板体の内面に延設されるアーム部とを有し、このアーム部の先端部の両端には、２つの折曲片が設けられており、
前記回転体の一端部には、前記アーム部が嵌まり込む切欠き部が設けられていることを特徴とする複合操作型入力装置。
【請求項５】
請求項１記載の複合操作型入力装置において、
前記第２の操作体と前記第２のスイッチ手段との間に前記基板に対して略平行に配置される環状部材であって、前記第２の操作体の傾動に応じて傾動し、前記第２のスイッチ手段を各々押下するキートップと、前記第２の操作体のキートップ対向面に設けられる感触子とを更に備えており、
前記キートップの感触子対向面は凸凹面となっており、
前記感触子が前記キートップの感触子対向面上を摺動可能になっていることを特徴とする複合操作型入力装置。
【請求項６】
請求項５記載の複合操作型入力装置において、
前記第２の操作体は、一方の面が操作される操作面である円板状の操作板と、この操作板の他方の面の外縁部に立設された円筒状の外壁部と、前記操作板の他方の面の内縁部に立設された円筒状の内壁部とを有しており、
前記感触子は、前記操作板の他方の面の前記外壁部と前記内壁部との間に取り付けられており、
前記取付部材の外側部は、その外側端部が前記操作板の他方の面に対向するように、前記内壁部に取り付けられており、
前記キートップは、前記取付部材の外側部の外側端部に支持され、前記外壁部と前記内壁部との間の空間に収容されるようになっていることを特徴とする複合操作型入力装置。
【発明の詳細な説明】
【技術分野】
【０００１】
本発明は、押下操作入力、傾動操作入力及び回転操作入力が可能な複合操作型入力装置に関する。
【背景技術】
【０００２】
この種の複合操作型入力装置としては、鉛直方向に押下操作可能な第１の操作体と、この第１の操作体の周囲に配置された環状部材であって、傾動操作及び周方向に回転操作可能な第２の操作体と、前記第１の操作体の押下移動により作動する第１のスイッチ手段と、前記第２の操作体の傾動により作動する複数の第２のスイッチ手段と、前記第２の操作体に取り付けられ、当該第２の操作体の回転を検出するロータリースイッチと、第１、第２のスイッチ手段が設けられた第１の基板と、ロータリースイッチの摺動接点パターンが形成された第２の基板とを具備したものがある(特許文献１参照)。
【０００３】
【特許文献１】特開２００１−３２５８５９号公報
【発明の開示】
【発明が解決しようとする課題】
【０００４】
前記第２の操作体は前記第１の操作体の周囲に配置される環状部材である。このため、前記第２の操作体及びこれに取り付けられるロータリースイッチの外形が前記第１の操作体の外形に依存している。そのため、前記第１の操作体の外形を小さくすれば、前記第２の操作体及びロータリースイッチの外形を小さくすることが可能である。
【０００５】
ところが、前記第１の操作体は、押下操作入力用の操作体である。そのため、前記第１の操作体の外形を小さくすると、うまく操作できない等の不具合が生じる。このため、前記装置の外形を小さくすることが困難であった。
【０００６】
本発明は、上記事情に鑑みて創案されたものであって、その目的とするところは、第１の操作体の外形に関係なく、ロータリースイッチの外形を小型化することができ、その結果、装置を小型化を図ることができる複合操作型入力装置を提供することにある。
【課題を解決するための手段】
【０００７】
上記課題を解決するために、本発明の複合操作型入力装置は、基板に略直交する方向に押下操作可能な第１の操作体と、この第１の操作体の周囲に前記基板と略平行に配置される環状部材であって、その平行状態から周囲の任意方向に傾動操作可能であると共に、周方向に回転操作可能な第２の操作体と、前記第１の操作体の押下移動に応じて作動する第１のスイッチ手段と、前記第２の操作体の傾動に応じて各々作動する複数の第２のスイッチ手段と、前記第２の操作体の回転を検出する回転検出手段と、を備える複合操作型入力装置であって、外側部が前記第２の操作体に設けられ且つ内側部が前記第１の操作体の押下移動方向側の面に対向する取付部材を更に備え、前記複数の第２のスイッチ手段が前記基板上の第１の操作体対向領域の周りの領域に配設されており、前記回転検出手段は、前記取付部材の内側部に取り付けられ、前記基板上の前記第１の操作体の押下移動方向側であり且つ前記複数の第２のスイッチ手段の内側の空間に配置されるようになっている。
【０００８】
このように前記回転検出手段が前記取付部材を介して前記第２の操作体に取り付けられ、前記基板上の前記第１の操作体の押下移動方向側であり且つ前記複数の第２のスイッチ手段の内側の空間に配置されるようになっているので、第１の操作体の外形に関係なく、前記回転検出手段の外形を小型化することができる。
【０００９】
前記第１の操作体は、操作部と、この操作部の押下移動方向側の面の一部に凸設されており且つその外形が当該操作部の外形よりも小さい棒状の操作軸部とを有する形状とすることができる。この場合、前記取付部材の内側部は、前記操作部の押下移動方向側の面の残りの部分に対向するようになっている。
【００１０】
即ち、前記操作部の押下移動方向側であり且つ前記操作軸部周りの空間に前記取付部材の内側部を配置し、当該空間に前記回転検出手段を配置するようにしている。
【００１１】
前記回転検出手段は、高さ方向の一端部が前記取付部材の内側部に取り付けられ、その中心部に前記操作軸部が通される貫通孔が設けられる回転体と、この回転体の高さ方向の他端部に設けられる接触子と、前記基板上の前記周りの領域に設けられており且つ前記接触子が摺動可能な接点パターンとを有する構成とすることができる。
【００１２】
前記取付部材は、前記第２の操作体に取り付けられるリング状の板体と、この板体の内面に延設されるアーム部とを有する形状とすることができる。この場合、前記アーム部の先端部の両端には、２つの折曲片が設けられており、前記回転体の一端部には、前記アーム部が嵌まり込む切欠き部が設けられている。
【００１３】
このように前記アーム部が前記回転体の切欠き部に嵌まり込むことにより、第２の操作体の回転に応じて折曲片が切欠き部の端面を押圧し、前記回転体を回転させるようになっている。
【００１４】
前記複合操作型入力装置は、前記第２の操作体と前記第２のスイッチ手段との間に前記基板に対して略平行に配置される環状部材であって、前記第２の操作体の傾動に応じて傾動し、前記第２のスイッチ手段を各々押下するキートップと、前記第２の操作体のキートップ対向面に設けられる感触子とを更に備える構成とすることができる。この場合、前記キートップの感触子対向面は凸凹面となっており、前記感触子が前記キートップの感触子対向面上を摺動可能になっている。
【００１５】
このように前記キートップが、前記第２のスイッチ手段を押下する機能と、前記感触子と共に、前記第２の操作体の回転操作の操作感を発生させる機能とを有している。よって、各機能を実現するための構成部品を別々に備える他の複合操作型入力装置と比べて部品点数を少なくすることができる。よって、装置の小型化及び低コスト化を図ることができる。
【００１６】
前記第２の操作体は、一方の面が操作される操作面である円板状の操作板と、この操作板の他方の面の外縁部に立設された円筒状の外壁部と、前記操作板の他方の面の内縁部に立設された円筒状の内壁部とを有する形状とすることができる。この場合、前記感触子は、前記操作板の他方の面の前記外壁部と前記内壁部との間に取り付けられており、前記取付部材の外側部は、その外側端部が前記操作板の他方の面に対向するように、前記内壁部に取り付けられており、前記キートップは、前記取付部材の外側部の外側端部に支持され、前記外壁部と前記内壁部との間の空間に収容されるようになっている。
【００１７】
このようにキートップ及び感触子を前記外壁部と前記内壁部との間の空間に収容することにより、キートップ及び感触子の組み込みの容易化を図ることができると共に、装置高の低減を図ることができる。
【発明の効果】
【００１８】
本発明の複合操作型入力装置による場合、前記回転検出手段が前記取付部材を介して前記第２の操作体に取り付けられ、前記基板上の第１の操作体の押下移動方向側であり且つ前記複数の第２のスイッチ手段の内側の空間に配置されるようになっているので、前記第１の操作体の外形に関係なく、前記回転検出手段の外形を小型化することができる。しかも、この回転検出手段を前記基板上の前記第１の操作体の押下移動方向側であり且つ前記複数の第２のスイッチ手段の内側の空間（即ち、デッドスペース）に配置しているので、装置の外形を小さくすることができ、当該装置の小型化を図ることができる。
【発明を実施するための最良の形態】
【００１９】
以下、本発明の実施の形態に係る複合操作型入力装置について図面を参照しつつ説明する。図１は本発明の実施の形態に係る複合操作型入力装置を示す図であって、（ａ）が概略的平面図、（ｂ）が概略的斜視図、図２が同装置の図１のＡ−Ａ断面図、図３が同装置の概略的分解斜視図、図４が同装置のケースを示す概略的斜視図であって、（ａ）が上側から示した図、（ｂ）が下側から示した図、図５は同装置の第２の操作体を示す概略的斜視図であって、（ａ）が上側から示した図、（ｂ）が下側から示した図、図６は同装置の基板を示す図であって、（ａ）が概略的平面図、（ｂ）が概略的底面図である。
【００２０】
ここに掲げる複合操作型入力装置は、ケース１００と、このケース１００の底板部の上面上にセットされる基板２００と、基板２００に略直交する方向に押下操作可能な第１の操作体３００と、この第１の操作体３００の周囲に基板２００と略平行に配置される環状部材であって、その平行状態から周囲の４方向に傾動操作可能であると共に、周方向に回転操作可能な第２の操作体４００と、第１の操作体３００に対向するように配設される第１のスイッチ手段５００Ａと、第２の操作体４００の４つの傾動方向に対応するように配設される第２のスイッチ手段５００Ｂと、第２の操作体４００に取り付けられる取付部材６００と、この取付部材６００に取り付けられ、第２の操作体４００の回転を検出する回転検出手段７００と、第２の操作体４００と第２のスイッチ手段５００Ｂとの間に配置されるキートップ８００と、第２の操作体４００のキートップ対向面に設けられる感触子９００と、ケース１００の底板部の下面に取り付けられる補強板１０００とを備えている。以下、各部を詳しく説明する。
【００２１】
ケース１００は、図１、図２、図３及び及び図４に示すように、カップ状の樹脂成形品であって、円形の底板部と、この底板部の外周縁部上に立設された円筒状の壁部とを有している。
【００２２】
このケース１００の底板部の中心部には、第１の操作体３００の操作軸部３２０が通される第１の孔部１１０が設けられている。
【００２３】
また、ケース１００の底板部の上面の第１の孔部１１０の周縁部には、図２、図３及び図４（ａ）に示すように、３つの支持部材１２０が等間隔で設けられている。この支持部材１２０は、外周面が円弧状になっており且つ回転検出手段７００の回転体７１０の回転孔部７１２ａに挿入され、当該回転体７１０を周方向に回転可能に支持する支持部と、回転検出手段７００の回転体７１０の係止孔部７１１ａに係止される係止爪とを有する。
【００２４】
ケース１００の底板部の下面の第１の孔部１１０の周縁部には、図２及び図４（ｂ）に示すように、基板２００のサブ基板２４０及び第１のスイッチ手段５００Ａを収容する凹状の収容部１５０が設けられている。この収容部１５０は、断面視凸字状の円形凹部１５１と、この円形凹部１５１に連続する矩形凹部１５２とを有する。矩形凹部１５２は、ケース１００の底板部の外周面に向けて開放されている。
【００２５】
円形凹部１５１の下面には、図２、図３、図４及び図６に示すように、４つの第１の係合凸部１６１が第１の孔部１１０の周りに９０°間隔で設けられている。この第１の係合凸部１６１は、基板２００のサブ基板２４０の４つの係合孔２４１及び第１の固定シート５３０Ａの４つの係合孔５３１Ａに各々係合され、且つ補強板１０００の４つの収容孔部１１１０に各々嵌まり込む。また、ケース１００の底板部の下面の収容部１５０の周りには、３つの第２の係合凸部１６２が設けられている。この第２の係合凸部１６２が補強板１０００の３つの係合孔部１１２０に各々係合される。
【００２６】
ケース１００の壁部には、図２、図３及び図４（ａ）に示すように、基板２００の導出部２２０を外部に導出する第１の導出孔１３１と、基板２００の折り返し片２３０を導出する第２の導出孔１３２と、キートップ８００の４つのガイド凸部をガイドする４つのガイド凹部１４０とを有している。
【００２７】
第１の導出孔１３１は、２つのガイド凹部１４０の間に位置している。第２の導出孔１３２は、残り２つのガイド凹部１４０の間であり且つ収容部１５０の矩形凹部１５２の上方位置に設けられている。
【００２８】
基板２００は、図２、図３及び図６に示すように、フレキシブル基板であって、ケース１００の底板部の上面にセットされる円板状のメイン基板２１０と、このメイン基板２１０の外周部の一部に設けられている板状の導出部２２０と、メイン基板２１０の外周部の別の部分に設けられている導出部２２０よりも幅狭な板状の折り返し片２３０と、この折り返し片２３０の先端部に設けられた円板状のサブ基板２４０とを有している。
【００２９】
メイン基板２１０の中心部には、３つの支持部材１２０が挿入される第２の孔部２１１が設けられている。この第２の孔部２１１は、メイン基板２１０がケース１００の底板部の上面にセットされた状態で、第１の孔部１１０と同心円状に配置される。
【００３０】
導出部２２０は、ケース１００の第１の導出孔１３１からケース１００外に導出し、図外の電子機器に接続される。
【００３１】
折り返し片２３０は、後端部がケース１００の第２の導出孔１３２からケース１００外に導出し、図２に示すように、断面視横向き略Ｕ字状に折り返され、先端部がケース１００の収容部１５０の矩形凹部１５２に収容される。
【００３２】
サブ基板２４０は、折り返し片２３０の先端部が収容部１５０の矩形凹部１５２に収容された状態で、当該収容部１５０の円形凹部１５１に収容される。このサブ基板２４０には、４つの第１の係合凸部１６１が通される４つの係合孔２４１が９０°間隔で設けられている。
【００３３】
第２の操作体４００は、図３及び図５に示すように、ケース１００に被せられるカップ状の樹脂成形品である。この第２の操作体４００は、操作板４１０と、この操作板４１０の下面の内縁部に立設される円筒状の内壁部４２０と、操作板４１０の下面の外縁部に立設される円筒状の外壁部４３０とを有している。
【００３４】
操作板４１０は、中心部に中心孔部４１１が設けられたリング状の板状体である。この操作板４１０の外径は、ケース１００の底板部の外径よりも大きくなっている。
【００３５】
また、操作板４１０の上面は、操作される操作面であって、操作され易くするために複数の凸部４１２が当該操作板４１０の中心から放射状に向けて配設されている。操作板４１０の下面には、感触子９００の２つの取付部９３０の２つの孔部９３１に各々挿入され、溶着される４つの凸部４１３が設けられている。
【００３６】
内壁部４２０の下面には、取付部材６００の板体６１０の複数の孔部６１１に各々挿入され、溶着される複数の凸部４２１が設けられている。また、内壁部４２０と底壁部４３０との間の空間がキートップ８００及び感触子９００を収容する収容空間となる。
【００３７】
外壁部４３０は、第２の操作体４００がケース１００に被せられた状態で、当該ケース１００の壁部の外面に沿うようになっている。
【００３８】
回転検出手段７００は、図２、図３及び図６（ａ）に示すように、回転体７１０と、この回転体７１０の回転に応じて回転する接触子７２０と、この接触子７２０が摺動可能な複数の接点パターン７３０とを有するロータリースイッチである。
【００３９】
回転体７１０は、図２及び図３に示すように、円筒状の上段７１１と、この上段部７１１の下面に設けられる当該上段部７１１よりも外径が大きい円筒状の下段部７１２とを有している。
【００４０】
下段部７１２の中心部には、ケース１００の３つの支持部材１２０が嵌まり込む回転孔部７１２ａが設けられている。このように３つの支持部材１２０に下段部７１２が回転可能に支持されることにより、回転体７１０がケース１００に回転可能に取り付けられる。このようにして回転検出手段７００が、基板２００のメイン基板２１０上の第１の操作体３００の操作部３１０の下側（即ち、押下移動方向側）であり且つ第２のスイッチ手段５００Ｂの内側の空間に配置される。
【００４１】
また、下段部７１２（即ち、高さ方向の他端部）の下面には、接触子７２０を収容する環状の収容凹部７１２ｂが設けられている。
【００４２】
上段部７１１の中心部には、下段部７１２の回転孔部７１２ａに連通する係止孔部７１１ａが設けられている。この係止孔部７１１ａの径は、回転孔部７１２ａの径よりも大きくなっている。即ち、ケース１００の３つの支持部材１２０の係止爪が係止孔部７１１ａの回転孔部７１２ａの周縁部に係止される。これにより、回転体７１０のケース１００からの抜け止めがなされている。なお、回転孔部７１２ａ及び係止孔部７１１ａが貫通孔となる。
【００４３】
また、上段部７１１（即ち、高さ方向の一端部）には、相対する２つの箇所に２つの切欠き部７１１ｂが各々設けられている。この切欠き部７１１ｂに取付部材６００の２つのアーム部６２０が各々嵌まり込む。
【００４４】
接触子７２０は、図２及び図３に示すように、リング状のベース板７２１と、このベース板７２１の外周面に連続して設けられた４つの接触アーム７２２とを有している。
【００４５】
ベース板７２１は収容凹部７１２ｂの底面に取り付けられるようになっている。
【００４６】
複数の接触アーム７２２は、第２の操作体４００の回転に伴う回転体７１０の回転に応じて、複数の接点パターン７３０上を摺動する。
【００４７】
複数の接点パターン７３０は、図６に示すように、基板２００のメイン基板２１０の上面の第２の孔部２１１の周縁部（即ち、メイン基板２１０上の第１の操作体３００の操作部３１０の対向領域）に間隔をあけて設けられている。
【００４８】
取付部材６００は、図２及び図３に示すように、リング状の板体６１０（即ち、外側部）と、この板体６１０の内面に延設され、互いに対向する２つのアーム部６２０（即ち、内側部）とを有する。
【００４９】
板体６１０には、第２の操作体４００の複数の凸部４２１が各々挿入され、溶着される複数の孔部６１１が各々設けられている。即ち、板体６１０が第２の操作体４００の内壁部４２０の下面に溶着固定される。また、板体６１０の外径は内壁部４２０の外径よりも大きくなっている。このため、板体６１０が内壁部４２０の下面に取り付けられた状態で、当該板体６１０の外縁部(即ち、外側端部)が内壁部４２０の外側に突出し、操作板４１０の下面に対向する。この板体６１０の外縁部がキートップ８００の第１の突起部８１０を前記収容空間で支持する部位となる。
【００５０】
アーム部６２０は、矩形状の板状体である。このアーム部６２０は、板体６１０が内壁部４２０の下面に取り付けられた状態で、第１の操作体３００の操作部３１０の底面の外周部に対向する。また、アーム部６２０は、回転検出手段７００の回転体７１０の切欠き部７１１ｂに若干遊びを有して嵌まり込む。このアーム部６２０の先端部の幅方向の両端には、当該アーム部６２０に対して略直角２つの折曲片６２１が設けられている。
【００５１】
折曲片６２１は、アーム部６２０が切欠き部７１１ｂに嵌まり込んだ状態で、当該切欠き部７１１ｂの端面に対向する。このため、第２の操作体４００の回転に伴って取付部材６００が回転すると、折曲片６２１が切欠き部７１１ｂの端面に当接し押圧する。このようにして取付部材６００の２つのアーム部６２０に回転体７１０が取り付けられ、当該回転体７１０を第２の操作体４００の回転に伴って回転可能にしている。
【００５２】
また、アーム部６２０は、切欠き部７１１ｂに若干遊びを有して嵌まり込み、折曲片６２１が切欠き部７１１ｂの端面に対向しているだけである。即ち、アーム部６２０は、第２の操作体４００の傾動に伴う取付部材６００の傾動に応じて、当該アーム部６２０の長さ方向に沿う２方向及び当該アーム部６２０の幅方向に沿う２方向に切欠き部７１１ｂ内を揺動可能になっている。このとき、２つの折曲片６２１が回転体７１０と干渉しないように設定されている。このため、第２の操作体４００の傾動方向は、アーム部６２０の長さ方向に沿う２方向及び前記長さ方向に直交する方向に沿う２方向となる。
【００５３】
感触子９００は、図２及び図３に示すように、リング状の板バネである感触子本体９１０と、感触子本体９１０の互いに対向する２箇所に設けられており且つ円弧状に湾曲する２つの摺動部９２０と、感触子本体９１０の２つの摺動部９２０と各々９０°位置ずれした２箇所に設けられる２つの取付部９３０とを有している。
【００５４】
取付部９３０には、２つの孔部９３１が設けられている。この２つの孔部９３１に第２の操作体４００の操作板４１０の２つの凸部４１３が各々挿入され、溶着される。これにより、取付部９３０が第２の操作体４００の操作板４１０の下面に取り付けられるようになっている。
【００５５】
摺動部９２０は、第２の操作体４００の回転に応じてキートップ８００の凸凹面８３０上を摺動する。これにより、第２の操作体４００の回転操作に操作感を発生させるようになっている。
【００５６】
キートップ８００は、図２及び図３に示すように、リング状の樹脂成形体である。このキートップ８００は、その上面の内縁部に設けられる円筒状の第１の突起部８１０と、前記上面の外縁部に９０°間隔で各々設けられる４つの第２の突起部８２０と、前記上面の残りの領域に設けられた凸凹面８３０と、下面に第２の突起部８２０と同間隔で設けられる４つの押下部８４０と、外周面の第２の突起部８２０及び押下部８４０の間の４箇所に外側に向けて各々凸設される４つのガイド凸部８５０とを有している。
【００５７】
第１の突起部８１０は、図２に示すように、上側だけでなく、内側に向けて凸となっている。この第１の突起部８１０の内側の凸部が、第２の操作体４００の内壁部４２０に取り付けられた取付部材６００の板体６１０の外縁部に支持される。これにより、キートップ８００が第２の操作体４００の内壁部４２０と底壁部４３０との前記収容空間内で保持される。
【００５８】
また、この第１の突起部８１０の内径は、第２の操作体４００の内壁部４２０の外径よりも若干大きくなっている。このため、第１の突起部８１０は、キートップ８００が前記収容空間内に保持された状態で、内壁部４２０の外面に沿うようになっている。
【００５９】
第２の突起部８２０は、第１の突起部８１０よりも若干背高であり、第２の操作体４００の操作板４１０の下面に当接するようになっている。この第２の突起部８２０が操作板４１０の下面に当接することにより、当該操作板４１０との間に感触子９００を収容する空間を形成する。また、第２の突起部８２０は、第２の操作体４００の傾動により操作板４１０に押下される。これにより、キートップ８００が第２の操作体４００の傾動に伴って傾動する。
【００６０】
また、第２の突起部８２０は、キートップ８００が前記収容空間内に保持された状態で、外壁部４３０との間に隙間を有している。この隙間にケース１００の壁部が挿入される。
【００６１】
ガイド凸部８５０は、ケース１００の壁部のガイド凹部１４０に上下動可能にガイドされる。これにより、キートップ８００の傾動をガイドすると共に、キートップ８００の周方向への回転を防止している。
【００６２】
押下部８４０は、下方に向けて凸の円柱状の突起である。この押下部８４０は、ガイド凸部８５０がガイド凹部１４０にガイドされた状態で、第２の操作体４００の傾動方向に対応する位置に配置され、第２のスイッチ手段５００Ｂの４つの第２の可動接点部５２０Ｂ上に載置される。このように押下部８４０が第２のスイッチ手段５００Ｂの４つの第２の可動接点部５２０Ｂに支持されることにより、キートップ８００及び第２の操作体４００が基板２００のメイン基板２１０に略平行な状態で支持される。
【００６３】
また、押下部８４０は、第２の操作体４００の傾動に伴うキートップ８００の傾動に応じて第２のスイッチ手段５００Ｂの第２の可動接点部５２０Ｂを押下するようになっている。
【００６４】
第２のスイッチ手段５００Ｂは、図３及び図６（ａ）に示すように、基板２００のメイン基板２１０の上面上の複数の接点パターン７３０の周りの第２の操作体４００の４つの傾動方向に対応する４箇所（即ち、基板２００のメイン基板２１０上の第１の操作体３００対向領域の周りの領域）に各々設けられた４つの一対の第２の固定接点部５１０Ｂと、４つの一方の第２の固定接点部５１０Ｂ上に各々載置される断面視略円弧状の４つの第２の可動接点部５２０Ｂと、この第２の可動接点部５２０Ｂをメイン基板２１０に固定する第２の固定テープ５３０Ｂと、第２の可動接点部５２０Ｂの頂部上に各々載置される４つの第２のスペーサ５４０Ｂとを有する。
【００６５】
第２の可動接点部５２０Ｂは、第２のスペーサ５４０Ｂを介してキートップ８００の押下部８４０を支持している。この第２の可動接点部５２０Ｂの頂部が、第２の操作体４００の傾動に応じてキートップ８００の押下部８４０に押下されると、当該第２の可動接点部５２０Ｂが弾性変形して他方の固定接点部５１０Ｂに接触する。また、第２の可動接点部５２０Ｂは、前記押下から開放されると、復元し、押下部８４０を押し上げる。これにより、第２の操作体４００が平衡状態に復帰する。
【００６６】
一対の第２の固定接点部５１０Ｂは、図６（ｂ）に示すように、基板２００のメイン基板２１０、導出部２２０の下面上の配線パターンに各々接続されている。
【００６７】
第１の操作体３００は、図２及び図３に示すように、操作部３１０と、この操作部３１０の底面（即ち、押下移動方向側の面）の中心部に下方に向けて立設された柱状の操作軸部３２０とを有している。
【００６８】
操作部３１０は、円形の下向きカップ状の樹脂成形品であって、その外径が第２の操作体４００の中心孔部４１１の径よりも若干小さくなっている。即ち、操作部３１０が第２の操作体４００の中心孔部４１１に嵌まり込み、その外側に操作可能に露出する。
【００６９】
この操作部３１０の外周縁部には、外側に向けてフランジ部３１１が設けられている。このフランジ部３１１が第２の操作体４００の中心孔部４１１の内縁部に当接することにより、第１の操作体３００の第２の操作体４００のからの抜け止めをなしている。
【００７０】
また、操作部３１０の上面は、操作される操作面であって、操作され易くするための凹部が設けられている。
【００７１】
操作軸部３２０は、ケース１００の３つの支持部材１２０の間及び第１の孔部１１０に通される円柱状の操作軸部本体３２１と、この操作軸部本体３２１の上端部の外周面に設けられた凸部３２２とを有している。
【００７２】
凸部３２２は、３つの支持部材１２０のうち２つの支持部材１２０の間に嵌まり込み、上下方向にガイドされると共に、第１の操作体３００の周方向への回転を防止する。
【００７３】
操作軸部本体３２１は、３つの支持部材１２０の間及び第１の孔部１１０を通じてケース１００の収容部１５０の円形凹部１５１に臨み、第１のスイッチ手段５００Ａ上に載置される。これにより、第１の操作体３００が初期状態で保持される。この操作軸部本体３２１は、第１の操作体３００が押下操作されることにより、第１のスイッチ手段５００Ａを押下する。
【００７４】
第１のスイッチ手段５００Ａは、サブ基板２４０の下面上に設けられた一対の第１の固定接点部５１０Ａと、一方の第１の固定接点部５１０Ａ上に載置される断面視略円弧状の第１の可動接点部５２０Ａと、この第１の可動接点部５２０Ａをサブ基板２４０に固定する第１の固定シート５３０Ａと、第１の可動接点部５２０Ａの頂部上に載置される第１のスペーサ５４０Ａとを有する。
【００７５】
一対の第１の固定接点部５１０Ａは、基板２００の折り返し片２３０、メイン基板２１０及び導出部２２０の下面上の配線パターンに各々接続されている。
【００７６】
第１の可動接点部５２０Ａは、第１のスペーサ５４０Ａを介して第１の操作体３００の操作軸部３２０の操作軸部本体３２１を支持している。この第１の可動接点部５２０Ａの頂部が第１のスペーサ５４０Ａを介して操作軸部本体３２１に押下されると、当該第１の可動接点部５２０Ａが弾性変形して他方の固定接点部５１０Ａに接触する。また、第１の可動接点部５２０Ａは、前記押下から開放されると、復元し、第１の操作体３００を初期状態に押し上げる。
【００７７】
補強板１０００は、絶縁性を有する板状体である。この補強板１０００の中央部には、ケース１００の４つの第１の係合凸部１６１を各々収容する４つの収容孔部１１１０が設けられている。補強板１０００の４つの収容孔部１１１０の周りには、ケース１００の３つの第２の係合凸部１６２を各々係合する３つの係合孔部１１２０が設けられている。この係合孔部１１２０がケース１００の第２の係合凸部１６２を係合することにより、補強板１０００がケース１００の底板部の下面に取り付けられる。
【００７８】
以下、このような構成の複合操作型入力装置の組み立て手順について説明する。まず、第２の操作体４００の操作板４１０の下面に感触子９００の取付部９３０を取り付ける。そして、第１の操作体３００の操作部３１０を第２の操作体４００の中心孔部４１１に挿入する。
【００７９】
この状態で、第２の操作体４００の内壁部４２０と外壁部４３０との間の収容空間にキートップ８００を挿入する。そして、内壁部４２０の下面に取付部材６００の板体６１０を溶着固定する。これにより、キートップ８００の第１の突起部８１０が板体６１０の外縁部に支持され、前記収容空間に収容される。このようにして第１の操作体３００、第２の操作体４００、感触子９００、キートップ８００及び取付部材６００をユニット化する。
【００８０】
その後、４つの第２の可動接点部５２０Ｂを基板２００のメイン基板２１０上の４つの一方の第２の固定接点部５１０Ｂ上に各々載置する。そして、第２の固定テープ５３０Ｂで基板２００のメイン基板２１０上に取り付ける。
【００８１】
この基板２００の導出部２２０を、ケース１００の第１の導出孔１３１に位置合わせをしつつ挿入する。これと共に、基板２００の折り返し片２３０の後端部を、ケース１００の第２の導出孔１３２に位置合わせをしつつ挿入する。すると、ケース１００の底板部上に基板２００のメイン基板２１０がセットされる。このとき、ケース１００の３つの支持部材１２０がメイン基板２１０の第２の孔部２１１に嵌まり込む。
【００８２】
その後、回転検出手段７００の回転体７１０の収容凹部７１２ｂの底面に接触子７２０のベース板７２１を取り付ける。この回転体７１０の回転孔部７１２ａに、ケース１００の３つの支持部材１２０を挿入する。すると、３つの支持部材１２０の係止爪が回転体７１０の回転孔部７１２ａの周縁部に当接し、当該支持部材１２０の支持部が内側に向けて弾性変形する。そして、支持部材１２０の係止爪が回転体７１０の係止孔部７１１ａの回転孔部７１２ａの周縁部に係止される。このようにして回転検出手段７００がメイン基板２１０上の第１の操作体３００の操作軸部３２０周りの空間（即ち、第１の操作体３００の操作部３１０の下側であり且つ第２のスイッチ手段５００Ｂの内側の空間）に周方向に回転可能に取り付けられる。
【００８３】
その後、４つの第２の可動接点部５２０Ｂ上に４つの第２のスペーサ５２０Ｂを各々載置する。そして、上述の如くユニット化した第２の操作体４００をケース１００に被せる。すると、ケース１００の壁部が、第２の操作体４００とキートップ８００の第２の突起部８２０との間の隙間に挿入される。これと共に、４つの第２のスペーサ５２０Ｂ上にキートップ８００に４つの押下部８４０が各々載置される。このようにして４つの第２のスペーサ５２０Ｂが４つの第２の可動接点部５２０Ｂとキートップ８００に４つの押下部８４０との間で各々保持される。
【００８４】
このとき、第１の操作体３００の操作軸部本体３２１をケース１００の３つの支持部材１２０の間及び第１の孔部１１０に位置合わせをしつつ挿入する。これにより、第１の操作体３００の凸部３２２が２つの支持部材１２０の間に嵌まり込む。
【００８５】
その後、第１のスペーサ５２０Ａをケース１００の第１の孔部１１０にケース１００の下面側から挿入する。すると、第１のスペーサ５２０Ａが第１の操作体３００の操作軸部本体３２１の先端面に当接する。
【００８６】
その後、第１の可動接点部５２０Ａを基板２００のサブ基板２４０の下面上の一方の第１の固定接点部５１０Ａ上に載置する。そして、第１の固定シート５３０Ａを、第１の可動接点部５２０Ａに被せ、サブ基板２４０の下面上にセットする。
【００８７】
この状態で、基板２００の折り返し片２３０の後端部を折り返し、当該折り返し片２３０の先端部をケース１００の収容部１５０の矩形凹部１５２に、サブ基板２４０、第１の可動接点部５２０Ａ及び第１の固定シート５３０Ａを円形凹部１５１に収容する。このとき、円形凹部１５１の下面の４つの第１の係合凸部１６１に、サブ基板２４０の４つの係合孔２４１及び第１の固定シート５３０Ａの４つの係合孔５３１Ａが各々係合される。このようにして第１の可動接点部５２０Ａが、第１の固定シート５３０Ａとサブ基板２４０との間で保持される。また、第１のスペーサ５２０Ａが第１の操作体３００の操作軸部本体３２１と第１の可動接点部５２０Ａとの間で保持される。
【００８８】
その後、補強板１０００の３つの係合孔部１１２０を、ケース１００の底板部の３つの第２の係合凸部１６２に係合させる。すると、補強板１０００の４つの収容孔部１１１０にケース１００の４つの第１の係合凸部１６１が嵌まり込む。
【００８９】
以下、このようにして組み立てられる複合操作型入力装置の使用方法及び各部の動作について説明する。まず、第１の操作体３００が初期状態から押下操作されると、第１の操作体３００の凸部３２２がケース１００の２つの支持部材１２０の間でガイドされ、当該第１の操作体３００が下方に移動する。すると、第１の操作体３００の操作軸部本体３２１が第１のスペーサ５２０Ａを介して第１の可動接点部５２０Ａの頂部を押下する。これにより、第１の可動接点部５２０Ａが弾性変形し、当該第１の可動接点部５２０Ａの頂部が他方の固定接点部５１０Ａに接触する。これにより、第１の操作体３００が押下操作されたことを示す信号が基板２００を通じて上記電子機器に出力される。
【００９０】
その後、第１の操作体３００が開放されると、第１の可動接点部５２０Ａが復元する。これにより、第１の可動接点部５２０Ａが第１のスペーサ５２０Ａを介して第１の操作体３００の操作軸部本体３２１を押し上げ、当該第１の操作体３００を初期状態に復帰させる。
【００９１】
第２の操作体４００が平衡状態からアーム部６２０の長さ方向に沿う２方向のいずれか一方に傾動操作されると、第２の操作体４００の操作板４１０がキートップ８００の傾動方向側の第２の突起部８２０を押下する。これにより、キートップ８００のガイド凸部８５０がケース１００の壁部のガイド凹部１４０にガイドされつつ、第２の操作体４００、キートップ８００及び取付部材６００が傾動する。すると、キートップ８００の傾動方向側の押下部８４０が第２のスペーサ５２０Ｂを介して第２の可動接点部５２０Ｂの頂部を押下する。すると、第２の可動接点部５２０Ｂが弾性変形し、当該第２の可動接点部５２０Ｂの頂部が他方の固定接点部５１０Ｂに接触する。これにより、第２の操作体４００が傾動操作されたことを示す信号が基板２００を通じて上記電子機器に出力される。
【００９２】
このとき、取付部材６００の２つのアーム部６２０が、回転体７１０の２つの切欠き部７１１ｂ内を、当該アーム部６２０の長さ方向に沿って揺動する。
【００９３】
第２の操作体４００が開放されると、傾動方向側の第２の可動接点部５２０Ｂが復元する。これにより、傾動方向側の第２の可動接点部５２０Ｂが第１のスペーサ５２０Ａを介して傾動方向側の押下部８４０を押し上げる。これにより、第２の操作体４００が平衡状態に復帰する。
【００９４】
一方、第２の操作体４００が平衡状態からアーム部６２０の幅方向に沿う２方向のいずれか一方に傾動操作されると、上記傾動操作と同様に、第２の操作体４００、キートップ８００及び取付部材６００が揺動し、第２の操作体４００が傾動操作されたことを示す信号が基板２００を通じて上記電子機器に出力される。
【００９５】
このとき、取付部材６００の２つのアーム部６２０が、回転体７１０の２つの切欠き部７１１ｂ内を、当該アーム部６２０の幅方向に沿って揺動する。
【００９６】
第２の操作体４００が開放されると、上記傾動操作と同様に、第２の操作体４００が平衡状態に復帰する。
【００９７】
第２の操作体４００が回転操作されると、当該第２の操作体４００、感触子９００及び取付部材６００が回転する。すると、取付部材６００の２つのアーム部６２０の一方の折曲片６２１が回転体７１０の２つの切欠き部７１１ｂの一方の端面に各々当接し押圧する。これにより、回転体７１０及び接触子７２０が第２の操作体４００の回転に伴って回転する。すると、接触子７２０の４つの接触アーム７２２が基板２００のメイン基板２１０上の複数の接点パターン７３０上を摺動する。これにより、第２の操作体４００の回転量及び回転方向を示す信号が基板２００を通じて上記電子機器に出力される。
【００９８】
このとき、感触子９００の２つの摺動部９２０がキートップ８００の凸凹面８３０上を摺動する。これにより、第２の操作体４００の回転操作の操作感が生じる。
【００９９】
このような複合操作型入力装置による場合、回転検出手段７００が取付部材６００を介して第２の操作体４００の内壁部４２０の下面に取り付けられ、基板２００のメイン基板２１０上の第１の操作体３００の操作部３１０の下側であり且つ第２のスイッチ手段５００Ｂの内側の空間に配置されるようになっている。このため、回転検出手段７００の外形を小さくすることができる。また、この回転検出手段７００をデッドスペースである前記空間に配置するようにしたことから、装置の小型化を図ることができる。
【０１００】
しかも、キートップ８００に、４つの第２のスイッチ手段５００Ｂを押下する機能と、感触子９００と共に第２の操作体４００の回転操作の操作感を発生させる機能とを持たせるようにしたことから、この点で、各機能を別々に実現するための構成部品を備える他の複合操作型入力装置と比べて部品点数を低減することができ、且つ装置の小型化を図ることができる。また、キートップ８００及び感触子９００が、第２の操作体４００の内壁部４２０と外壁部４３０との間の空間に収容されているため、装置の厚みを低減することができる。よって、この点でも装置の小型化を図ることができる。
【０１０１】
なお、ケース１００の形状については、上記構成部材を収容することができるものであれば、どのように設計変更しても構わない。従って、第１のスイッチ手段を前記ケースに収容させるように設計変更すること可能である。
【０１０２】
基板２００の形状についても、スイッチ手段の接点及び回転検出手段の接点パターン等が形成されうるものであれば、どのような形状のものを用いても構わない。
【０１０３】
第１の操作体３００の形状については、基板に略直交する方向に押下移動可能であり且つ第１のスイッチ手段を作動させ得る形状のものであれば良い。第１の操作体３００が、操作部と、操作軸部とを有する形状である場合には、前記操作部の形状は任意に設定可能であり、前記操作軸部の形状は、前記操作部の押下移動方向側の面の一部に凸設されており且つその外形が当該操作部の外形よりも小さい棒状であればよい。
【０１０４】
第２の操作体４００の形状については、第１の操作体の周囲に前記基板と略平行に配置される環状部材であれば良い。この第２の操作体は、４方向に傾動操作可能であるとしたが、周囲の任意方向に傾動操作可能とすることができる。
【０１０５】
キートップ８００については、省略することが可能である。この場合、少なくとも押下部８４０に相当する部材を前記第２の操作体の押下移動方向側の面に設ける。また、キートップ８００を省略して前記第２の操作体の回転操作の操作感を生じる機能を実現する場合には、押下移動方向側の面に凸凹面８３０を設け、感触子９００を前記ケース等に固定して凸凹面上を摺動させる。
【０１０６】
感触子９００についても、省略することが可能である。また、感触子９００を省略して前記第２の操作体の回転操作の操作感を生じる機能を実現する場合には、前記第２の操作体の押下移動方向側の面に凸部を設け、キートップ８００の凸凹面８３０上を摺動させる。
【０１０７】
取付部材６００については、外側部が前記第２の操作体に設けられ且つ内側部が前記第１の操作体の押下移動方向側の面に対向し、後述するような回転検出手段取り付け得るものであればどのようなものを用いても構わない。
【０１０８】
例えば、前記取付部材を矩形状の板体とし、複数の当該取付部材の一端部（外側部）を前記第２の操作体に設ける一方、他端部を第１の操作体の押下移動方向側の面に対向させるようにしても良い。なお、前記取付部材は、前記第２の操作体に取り付けるようにしても良いし、一体的に設けるようにしても良い。
【０１０９】
なお、回転検出手段と取付部材の内側部との取り付けという概念は、完全に固定される状態のものに限定されず、上記実施例のように、アーム部６２０が切欠き部７１１ｂに嵌まり込む係止状態を含むものである。
【０１１０】
回転検出手段７００については、ロータリースイッチであるとしたが、これに限定されるものではなく、接点パターン７３０を抵抗パターンに代えて可変抵抗器とすることもできるし、接点パターン７３０を磁気検出素子に代えると共に、接触子７２０を磁石に代えてロータリーエンコーダとすることもできる。その他、光学式のロータリーエンコーダを用いることも可能である。
【０１１１】
回転体７１０については、省略することが可能である。この場合、接触子７２０を取付部材６００に取り付けるようにすれば良い。
【０１１２】
第１のスイッチ手段５００Ａについては、第１の操作体の押下移動に応じて作動し得るものであればどのようなものを用いても構わない。例えば、第１の操作体の押下移動方向側の面に可動接点を設け、固定接点部に接触させるようにしても良い。
【０１１３】
第２のスイッチ手段５００Ｂについても第１のスイッチ手段５００Ａ同様である。また、この第２のスイッチ手段は、前記基板上の前記第１の操作体の押下移動方向側の領域の周りの領域の第２の操作体の傾動に対応する位置に配設されていれば良い。よって、前記第２のスイッチ手段は上記実施例の４つに限定されるものではない。
【図面の簡単な説明】
【０１１４】
【図１】本発明の実施の形態に係る複合操作型入力装置を示す図であって、（ａ）が概略的平面図、（ｂ）が概略的斜視図である。
【図２】同装置の図１のＡ−Ａ断面図である。
【図３】同装置の概略的分解斜視図である。
【図４】同装置のケースを示す概略的斜視図であって、（ａ）が上側から示した図、（ｂ）が下側から示した図である。
【図５】同装置の第２の操作体を示す概略的斜視図であって、（ａ）が上側から示した図、（ｂ）が下側から示した図である。
【図６】同装置の基板を示す図であって、（ａ）が概略的平面図、（ｂ）が概略的底面図である。
【符号の説明】
【０１１５】
２００    基板
３００    第１の操作体
３１０    操作部
３２０    操作軸部
４００    第２の操作体
４１０    操作板
４２０    内壁部
４３０    外壁部
５００Ａ  第１のスイッチ手段
５００Ｂ  第２のスイッチ手段
６００    取付部材
６１０    板体
６２０    アーム部
６２１    折曲部
７００    回転検出手段
７１０    回転体
７１１ｂ  切欠き部
７２０    接触子
７３０    接点パターン
８００    キートップ
８３０    凸凹面
９００    感触子
【図１】
2008269871.tif 000003
【図２】
2008269871.tif 000004
【図３】
2008269871.tif 000005
【図４】
2008269871.tif 000006
【図５】
2008269871.tif 000007
【図６】
2008269871.tif 000008